(57)【要約】【課題】光源と表示部とを接続するハーネスや光ファイバーを用いることなく、安価な構成で自由度の高い光源を確保して運転情報を表示できるようにした表示装置を有する空気調和機を提供する。【解決手段】電装部３の制御基板２に、露受皿４に対向して点灯表示用の発光ダイオード６を設ける一方、露受皿４を、その長手方向の中央部に表示部１を備えると共に、同表示部１に向けて前記発光ダイオード６の光を導く導光部７を備えて、透過性を有する合成樹脂により一体成形した。【選択図】　図２
2004028368.tif 000002
【特許請求の範囲】
【請求項１】
本体内の一側部に制御基板を備えた電装部を設け、他側部に露受皿を下部に備えた熱交換器を設けると共に、本体前面に表示部を設けてなる空気調和機において、
前記電装部の制御基板に、前記露受皿に対向して点灯表示用の発光ダイオードを設ける一方、前記露受皿が、その長手方向の中央部に前記表示部を備えると共に、同表示部に向けて前記発光ダイオードの光を導く導光部を備えて、透過性を有する合成樹脂により一体成形されてなることを特徴とする空気調和機。
【請求項２】
前記発光ダイオードを複数設ける一方、前記露受皿の導光部に、前記複数の発光ダイオードの光を区別して前記表示部へ導くスリットを設けてなることを特徴とする請求項１に記載の空気調和機。
【発明の詳細な説明】
【０００１】
【発明の属する技術分野】
本発明は、空気調和機に係わり、より詳細には、運転情報を表示する表示装置の構造に関する。
【０００２】
【従来の技術】
従来の空気調和機は、例えば図１（Ａ）および図１（Ｂ）と、図４とで示すように、空気調和機本体Ａ内の一側部に制御基板２を備えた電装部３を設けると共に、本体Ａの前面に運転情報を表示する表示部１を設け、同表示部１に冷房／暖房、タイマ、および風向などの運転情報を表示してなる構成であった。
【０００３】
しかしながら、前記表示部１には、前記制御基板２とは別に表示機能に特化した基板が設けられる構成であり、また、前記表示部１に使用される発光ダイオードの数量が増加したり、２色発光などの機能をもたせることにより、前記基板と前記制御基板２とを接続するハーネスが増加してしまうことになって、コスト的に不利になってしまうという問題点を有していた。
【０００４】
また、前記ハーネスに替えて光ファイバーを使用する場合には、同光ファイバーは汎用性がないため、例えば発展途上国での生産においては現地調達が困難であるという問題点を有していた。
【０００５】
【発明が解決しようとする課題】
本発明においては、上記の問題点に鑑み、光源と表示部とを接続するハーネスや光ファイバーを用いることなく、安価な構成で自由度の高い光源を確保して運転情報を表示できるようにした表示装置を有する空気調和機を提供することを目的とする。
【０００６】
【課題を解決するための手段】
本発明は、上記課題を解決するため、本体内の一側部に制御基板を備えた電装部を設け、他側部に露受皿を下部に備えた熱交換器を設けると共に、本体前面に表示部を設けてなる空気調和機において、
前記電装部の制御基板に、前記露受皿に対向して点灯表示用の発光ダイオードを設ける一方、前記露受皿が、その長手方向の中央部に前記表示部を備えると共に、同表示部に向けて前記発光ダイオードの光を導く導光部を備えて、透過性を有する合成樹脂により一体成形された構成となっている。
【０００７】
また、前記発光ダイオードを複数設ける一方、前記露受皿の導光部に、前記複数の発光ダイオードの光を区別して前記表示部へ導くスリットを設けた構成となっている。
【０００８】
【発明の実施の形態】
以下、本発明の実施の形態を図面に基づいた実施例として詳細に説明する。
図１は本発明（および従来例）による空気調和機の説明図で、（Ａ）は斜視図、（Ｂ）は要部分解斜視図であり、図２は本発明による空気調和機の要部説明図で、（Ａ）は表示部および電装部を示す図、（Ｂ）は電装部を示す図であり、図３は光源を三原色にした状態を示す要部説明図で、（Ａ）は電装部の制御基板に実装された発光ダイオードを示す図、（Ｂ）は表示部を示す斜視図である。
【０００９】
本発明による空気調和機は、図で示すように、空気調和機本体Ａ内の一側部に表示用の発光ダイオード６を組付ける制御基板２を備えた電装部３を設け、他側部に露受皿４を下部に備えた熱交換器５を設けると共に、本体Ａの前面には、運転情報を点灯表示する表示部１を設け、同表示部１で冷房／暖房、タイマ、および風向などの運転情報を表示する表示装置を備えた構成になっている。
【００１０】
前記発光ダイオード６を発光させ、これを前記表示部１に導いて点灯表示する際、上記従来技術に記載した問題点を解決するため、ハーネスや光ファイバーを用いることなく、部品点数を削減したコスト的に有利な構造により運転情報を点灯表示できるようにした構成について以下に説明する。
【００１１】
前記電装部３には、図２（Ａ）および図２（Ｂ）で示すように、前記露受皿４に対向して点灯表示用の発光ダイオード６を組付けた制御基板２が内設され、前記露受皿４の一端を臨ませた開口部３ａが設けられている。
【００１２】
前記露受皿４は、同露受皿４の一側部から延出され、前記開口部３ａから挿入された先端を前記発光ダイオード６に近接させた延出部４’を備えた構成になっている。
【００１３】
また、前記露受皿４は、光を拡散できるよう表面が曲面状に形成された前記表示部１を備えた構成になっている。
【００１４】
そして、前記露受皿４は、その長手方向の中央部に前記表示部１を備えると共に、前記発光ダイオード６の光を前記延出部４’から前記表示部１へと導く導光部７を備えて、例えば高透過性を有し、且つ高剛性を有するポリカーボネートなどの合成樹脂により一体成形された構成となっている。
【００１５】
以上の構成により、次にその動作について説明する。
運転時に前記発光ダイオード６が発光した際、その光が前記導光部７により前記表示部１へと導びかれて拡散され、同表示部１で点灯表示されることによって被空気調和室内のユーザが任意の位置から運転情報を容易に視認できることになる。
【００１６】
その際、前記導光部７に替えてハーネスや光ファイバーを用いる必要がなくなるので、部品点数を削減できて低コスト化された構成により、前記発光ダイオード６の光を前記表示部１へと効果的に導びけることになる。
【００１７】
なお、図３（Ａ）および図３（Ｂ）で示すように、冷房／暖房、タイマ、および風向など複数の運転情報を前記表示部１で点灯表示する際、発光色が異なる自由度の高い光源として前記発光ダイオード６を複数設けることにより、視認しやすく、また判別しやすい表示装置となる。
【００１８】
その場合、前記露受皿４の導光部７に、例えば赤色、緑色、黒色といった複数の発光ダイオード６の光を区別して透過させるためのスリット８を設け、同スリット８で区別された導かれた光を夫々前記表示部１で表示できることになる。
【００１９】
これらにより、前記発光ダイオード６の光を、ハーネスや光ファイバーを用いない簡便な構成によって前記表示部１へ正確に導びくことができるようになり、また、前記運転情報を前記スリット８で的確に区別して点灯表示できるようになるので、視認しやすく判別しやすい表示装置となる。
【００２０】
【発明の効果】
以上説明したように、本発明によれば、光源と表示部とを接続するハーネスや光ファイバーを用いることなく、安価な構成で自由度の高い光源を確保して運転情報を表示できるようにした表示装置を有する空気調和機となる。
【図面の簡単な説明】
【図１】本発明および従来例による空気調和機の説明図で、（Ａ）は斜視図であり、（Ｂ）は要部分解斜視図である。
【図２】本発明による空気調和機の要部説明図で、（Ａ）は表示部および電装部を示す図であり、（Ｂ）は電装部を示す図である。
【図３】光源を三原色にした状態を示す要部説明図で、（Ａ）は電装部の制御基板に実装された発光ダイオードを示す図であり、（Ｂ）は光拡散体からなる表示部を示す斜視図である。
【図４】従来例による空気調和機の要部説明図である。
【符号の説明】
Ａ　空気調和機本体
１　表示部
２　制御基板
３　電装部
３ａ　開口部
４　露受皿
４’　延出部
５　熱交換器
６　発光ダイオード
７　導光部
８　スリット
【図１】
2004028368.tif 000003
【図２】
2004028368.tif 000004
【図３】
2004028368.tif 000005
【図４】
2004028368.tif 000006